(57)【要約】広告収入を生み出す方法は、少なくとも一つの広告を表示するための少なくとも一つの広告面を備える移動表示体を先の所有者から購入するステップと、前記移動表示体を先の所有者に賃貸するステップと、少なくとも一つの広告主に少なくとも一部分の広告面を販売するステップとを含み、その少なくとも一つの広告主に広告媒体を提供する。少なくとも一つの広告主は先の所有者及び第三者を含むことができる。移動表示体は貨物或いは乗客を輸送する運搬用車両とすることができる。
2006505829.tif 000002
【特許請求の範囲】
【請求項１】
広告収入を生み出す方法であって、
少なくとも一つの広告を表示するための少なくとも一つの広告面を備える移動表示体を先の所有者から購入するステップと、
前記移動表示体を先の所有者に賃貸するステップと、
少なくとも一つの広告主に少なくとも一部分の広告面を販売するステップとを備え、
前記少なくとも一つの広告主に広告媒体を提供する方法。
【請求項２】
請求項１に記載の方法において、
前記少なくとも一つの広告主は先の所有者を含む方法。
【請求項３】
請求項１に記載の方法において、
前記少なくとも一つの広告主は第三者を含む方法。
【請求項４】
請求項１に記載の方法において、
前記移動表示体は貨物及び乗客のうち少なくともいずれか一方を輸送する運搬用車両からなる方法。
【請求項５】
請求項４に記載の方法において、
前記運搬用車両はトレーラからなり、前記トレーラの一部分が少なくとも一つの広告を表示するための少なくとも一つの広告面である方法。
【請求項６】
請求項４に記載の方法において、
前記運搬用車両は鉄道車両からなり、前記鉄道車両の一部分が少なくとも一つの広告を表示するための少なくとも一つの広告面である方法。
【請求項７】
請求項１に記載の方法において、
前記少なくとも一つの広告を表示するための少なくとも一つの広告面は電子表示システムからなり、前記電子表示システムは少なくとも一つの予めプログラム化された広告を表示する方法。
【請求項８】
請求項１に記載の方法において、
前記少なくとも一つの広告を表示するための少なくとも一つの広告面は交互表示機構からなり、前記交互表示機構は交互に替わる基盤上に少なくとも二の広告を表示する方法。
【請求項９】
請求項１に記載の方法において、
前記少なくとも一つの広告主が複数部分の広告スペースを購入する場合、前記少なくとも一つの広告主にその見返りとして低減された販売価格を提供するステップを更に備える方法。
【請求項１０】
広告収入を生み出す方法であって、
少なくとも一つの広告を表示するための少なくとも一つの広告面を備える貨物輸送用トレーラを有した運搬用車両を先の所有者から購入するステップと、
前記運搬用車両を先の所有者に賃貸するステップと、
少なくとも一つの広告主に少なくとも一部分の広告面を販売するステップとを備え、
前記少なくとも一つの広告主に広告媒体を提供する方法。
【発明の詳細な説明】
【技術分野】
【０００１】
本発明は、広告収入を生み出す方法に関し、より詳しくは、移動広告表示体から広告収入を生み出す方法に関する。
【背景技術】
【０００２】
例えばテレビやラジオといった従来型の広告媒体から多大な広告収入が得られる一方、広告主は消費者に届くことを目的として斬新でかつ効果的な媒体を絶えず探している。例えば、アメリカでは州高速道路が導入されたことにより、広告主には、その高速道路に沿って旅行する消費者に対し新しい広告媒体を提供する機会が与えられた。それに応じて、広告主は高速道路の側で広告を表示する広告看板を使用していた。広告看板は広告を表示する構造体を広告主に提供したが、最善の広告を可能にするものではないという特徴を有している。例えば広告看板は固定され、かつ見える範囲が限られている。更に、広告看板は通常静的な広告であって、動的な広告を可能にするものではない。
【発明の開示】
【発明が解決しようとする課題】
【０００３】
広告看板の不利な点を克服するため、多くの企業が広告媒体として運搬用車両の活用を開始した。広告用車両を使用するこのような革新的な方法はいくつかの資本力のある事業体に利益をもたらしたが、移動可能な広告の場にあっては今もなお成長の余地が残されている。例えば、車両の所有者は、見込みのある広告媒体の利点を十分に引き出したり複雑な広告契約に参入したりするのに必要な資金や経営技術、或いはつてを有さないことがある。
【課題を解決するための手段】
【０００４】
（本発明の要旨）
本発明は広告収入を生み出す方法に関する。その方法としては、少なくとも一つの広告を表示するための少なくとも一つの広告面を備える移動表示体を先の所有者から購入するステップと、移動表示体を先の所有者に賃貸するステップと、少なくとも一つの広告主に少なくとも一部分の広告面を販売するステップとを含み、その結果少なくとも一つの広告主に広告媒体を提供する。少なくとも一つの広告主は先の所有者及び第三者を含むことができる。ある取り決めでは、移動表示体は貨物及び乗客のうち少なくともいずれか一方を輸送する運搬用車両を含むことができる。運搬用車両はトレーラとすることができ、その場合にトレーラの一部分を少なくとも一つの広告を表示するための少なくとも一つの広告面とすることができる。更に、運搬用車両は鉄道車両とすることができ、その場合に鉄道車両の一部分を少なくとも一つの広告を表示するための少なくとも一つの広告面とすることができる。
【０００５】
別の取り決めでは、少なくとも一つの広告を表示する少なくとも一つの広告面は電子表示システムを含むことができ、その場合電子表示システムは少なくとも一つの予めプログラム化された広告を表示することができる。更に、少なくとも一つの広告を表示する少なくとも一つの広告面は交互表示機構を含むことができる。交互表示機構は交互に替わる基盤上に少なくとも二の広告を表示することができる。別の取り決めでは、少なくとも一つの広告主が複数部分の広告スペースを購入する場合、前記方法が少なくとも一つの広告主にその見返りとして低減された販売価格を提供するステップを含むことができる。
【０００６】
別の取り決めでは、広告収入を生み出す方法として、少なくとも一つの広告を表示するための少なくとも一つの広告面を備える貨物輸送用トレーラを有した運搬用車両を先の所有者から購入することを含むことができる。この取り決めでは、運搬用車両を先の所有者に賃貸すること、及び少なくとも一つの広告主に少なくとも一つの広告面の少なくとも一部分を販売することも含み、その結果少なくとも一つの広告主に一つの広告媒体を提供することになる。
【発明を実施するための最良の形態】
【０００７】
本発明は、添付図面と併せて以下の説明を参照すればより一層理解されるであろう。しかし、本発明は、示された厳密な取り決めや手段に限定されるものではないことも理解されるであろう。
（好ましい実施例の詳細な説明）
図１を参照すれば、本発明の取り決めに基づき広告収入を生み出す方法１００が示されている。その方法１００は、少なくとも一つの広告１５０を表示するための少なくとも一つの広告面１４０を備える移動表示体１３０を先の所有者１２０から購入する購入者１９０を含む。更に、方法１００は、購入者１９０が移動表示体１３０を先の所有者１２０に賃貸し、そして少なくとも一つの広告主１８０に広告面１４０の少なくとも一部分を販売するステップを含み、その結果広告媒体を広告主１８０に提供する。
【０００８】
ここで定義されるように、先の所有者１２０は移動表示体１３０に関する所有権を持った個人、或いは任意の事業体とすることができ、購入者１９０は先の所有者１２０から移動表示体１３０を購入する。購入者１９０は任意の個人或いは事業体とすることができ、購入者１９０は移動表示体１３０に関する所有権に対して代金を支払い、そして広告面１４０の少なくとも一部分を広告主１８０に販売する。その一例として、購入者１９０は、顧客に対し移動表示体１３０の広告面１４０についてその少なくとも一部分を賃貸或いは販売可能な代理人とすることができる。更に、少なくとも一つの広告主１８０は先の所有者１２０、或いは第三者（図示せず）を含むことができる。それ故に、購入者１９０は移動表示体１３０を先の所有者１２０から購入し、移動表示体１３０を先の所有者１２０に返却することを前提として賃貸し、そして広告面１４０を先の所有者１２０或いは第三者に販売することもできる。本発明の目的として、第三者は広告スペースを購入可能な任意の個人、或いは任意の事業体とすることができる。
【０００９】
実施される方法１００の一例が図２に示されている。方法１００はステップ１０５より開始することができる。ステップ１１０に示されるように、少なくとも一つの広告を表示するための少なくとも一つの広告面を備える移動表示体が先の所有者から購入されることができる。ステップ１６０において、移動表示体が先の所有者に返却されることを前提として賃貸されることができる。広告面の少なくとも一部分が少なくとも一つの広告主に販売され、それにより、ステップ１７０で示されるように少なくとも一つの広告主に広告媒体を提供する。方法１００はステップ１８０にて終了することができる。図２には特定の順序で方法１００のステップが示されているが、本発明は、この点で限定されるものではなく、その他の適切な順序からなるステップを使用することもできる。
【００１０】
別の取り決めでは、少なくとも一つの広告主が複数部分からなる広告スペースを購入する場合、前記方法は、広告主にその見返りとして低減された販売価格を提供するステップ１７５を更に含むことができる。例えば、販売促進を目的として、広告主には、その広告主に販売された広告スペースの総量に応じた販売価格で別の広告スペースが与えられる。より多くの広告スペースが個々の広告主に販売されることで、各個人の広告スペースの一部分がそれに応じて縮小され、それ故に、大量の広告スペースを購入する刺激を広告主に与える。
【００１１】
ある取り決めでは、移動表示体１３０（図１参照）は、貨物、乗客或いはそれらが混在したものを輸送する運搬用車両とすることができる。図３を参照すれば、方法１００で使用可能な運搬用車両２００が示されている。運搬用車両２００は、例えば少なくとも一つの広告１５０を表示するための少なくとも一つの広告面１４０を備えるトレーラ２１０とすることができる。図示されるように、少なくとも一つの広告面１４０はトレーラ２１０の一部分とすることができる。しかしながら、移動表示体１３０（図１参照）はこの例に限定されるものではなく、方法１００では、他の適切な運搬用車両を使用できることが理解されるであろう。例えば、運搬用車両は少なくとも一つの広告面を備える鉄道車両（図示せず）とすることもできる。実際には、移動表示体は運搬用車両に限定されるものではなく、本発明では、少なくとも一つの広告面を備える他の移動装置を使用することができる。そうした少なくとも一つの広告面を備える他の移動装置は、熱気球、移動看板、及び移動貯蔵コンテナを含むことができる。
【００１２】
図１に戻り参照すれば、少なくとも一つの広告１５０を表示するための少なくとも一つの広告面１４０は、広告を表示するのに適した任意の面を含むことができ、これに先立ち（図３参照）示されたトレーラの側面を含むことができる。本発明は、この点において限定されるものではないが、その他の適切な面を使用することもできる。例えば、少なくとも一つの広告面１４０は、図４に示されるように電子表示システム２２０の一部分とすることができる。電子表示システム２２０は広告面１４０を備えるディスプレイ２２５、マイクロプロセッサ２３０、及び記憶装置２４０を含むことができ、少なくとも一つの予めプログラム化された広告１５０を表示することができる。こうした予めプログラム化された一以上の広告１５０が記憶装置２４０に記憶されることができ、その後マイクロプロセッサ２３０によって検索されることができる。
【００１３】
マイクロプロセッサ２３０は、こうして予めプログラム化された広告１５０をディスプレイ２２５に送信することができ、この場合、広告面１４０上に広告１５０を表示することができる。この取り決めでは、広告面１４０は、例えば発光ダイオードの配列、電球の配列、或いは液晶ディスプレイパネル等、予めプログラム化されたメッセージを表示する任意の適切な表示体を含むことができる。
【００１４】
別の取り決めでは、少なくとも一つの広告面１４０は、図５に示されるように交互表示システム２５０の一部分とすることができる。交互表示システム２５０は交互表示機構２６０及びパネル用マイクロプロセッサ２７０を含むことができる。パネル用マイクロプロセッサ２７０は交互表示機構２６０の作動制御を行うことができる。交互表示機構２６０はフレーム２８０及びモータ２９０を含むことができる。交互表示機構２６０はまた複数のパネル３００を含むことができ、それらはフレーム２８０に対し連動して回転可能とすることができる。更に、モータ２９０はパネル３００の回転制御を行うことができる。
【００１５】
一以上のパネル３００は、表示可能な少なくとも２つの側面（図示せず）を備えることができる。具体的には、各パネル３００の両面は、広告１５０を表示する広告面１４０を形成するため、別のパネル３００の他方の面と組合わせることができる。各パネル３００の備える側面の数が、交互に表示することのできる広告１５０の数（及び広告面１４０の数）を決定することができる。例えば、各パネル３００が２つの側面を備えるのであれば、その結果２つの広告１５０を交互に表示することができる。
【００１６】
広告１５０の表示を交互に行うため、パネル用マイクロプロセッサ２７０は、一以上のパネル３００を回転させるためモータ２９０に対し信号を出力する。パネル３００の回転動作が一旦完了すれば、パネル３００は広告面１４０を形成し、その面上に広告１５０を表示することができる。そのサイクルは、所要の数の広告１５０についてその表示が可能となるように繰り返される。言うまでもなく、図５に関して述べられた広告面１４０は一例にすぎない。また、広告面を備える他の適切なシステムを本発明に使用できることが理解されるであろう。
【００１７】
本発明は本明細書で開示された実施例と併せて説明されてきたが、先の記述が説明を意図したものでありクレームにより定義される本発明の範囲を限定するものではないことは理解されるべきであろう。
【図面の簡単な説明】
【００１８】
図１は本発明の取り決めに基づき広告収入を生み出す方法を説明する図。
図２は本発明の取り決めに基づき広告収入を生み出す図１の方法のフローチャートを説明する図。
【００１９】
図３は本発明の取り決めに基づく移動構造体の一実施例を説明する図。
図４は本発明の取り決めに基づく広告を表示するための広告面についてその一実施例を説明する図。
【００２０】
図５は本発明の取り決めに基づく広告を表示するための広告面について別の実施例を説明する図。
【図１】
2006505829.tif 000003
【図２】
2006505829.tif 000004
【図３】
2006505829.tif 000005
【図４】
2006505829.tif 000006
【図５】
2006505829.tif 000007
【国際調査報告】
2006505829.tif 000008